【事件の表示】
　平成　８年特許願第　５７３７４号「入浴剤組成物」拒絶査定不服審判事件〔平成　９年　９月２２日出願公開、特開平　９−２４９５５２〕について、次のとおり審決する。
【結　論】
　本件審判の請求は、成り立たない。
【理　由】
１．手続の経緯・本願発明
　本願は、平成８年３月１４日の出願であって、その請求項１に係る発明は、平成１９年９月１８日付け手続補正書によって補正された明細書の記載からみて、その特許請求の範囲の請求項１に記載された次のとおりのものと認める。
　
「【請求項１】（Ａ）冷感剤、温感剤、血行促進剤、抗炎症剤、痩身剤及び保湿剤から選ばれる１種又は２種以上の生理作用を発揮する成分（但し、痒みの軽減に有効な成分を除く）、（Ｂ）多価アルコール０．１〜３０重量％、並びに（Ｃ）水溶性高分子０．００１〜５０重量％を含有し、皮膚に直接塗布又は貼布して入浴するための液状又は半固体状で粘度が５００〜１０，０００cpsの乳化型組成物であって、かつ入浴中に生理作用を発揮する成分が浴湯中に分散又は溶解する入浴剤組成物。」
　
２．引用例
　当審において、平成１９年７月１１日付けで通知した拒絶の理由で引用した本願出願前に頒布された刊行物である特開平７−２８５８４８号公報（以下、「引用例Ａ」という。）、及び特開平７−６１９２０公報（以下、「引用例Ｂ」という。）には、以下の事項が記載されている。
　
　引用例Ａ；
（Ａ−１)「【請求項１】油溶性Ｎ−長鎖アシルアミノ酸エステルを含有することを特徴とする浴用剤組成物。」（【特許請求の範囲の請求項１】、２頁１欄２〜３行）
　
（Ａ−２)「本発明に用いられる油溶性Ｎ−長鎖アシルアミノ酸エステルは、炭素原子数８〜２２の長鎖アシル基を有するＮ−長鎖アシルアミノ酸のステロール、高級アルコール、ポリオキシアルキレン高級アルコールエーテル、ポリアルキレングリコール高級脂肪酸モノエステル、多価アルコール等のアルコールとのエステルであって、油に易溶性で保湿効果を有するものである。」（【０００６】、３頁４欄５〜１２行）
　
（Ａ−３)「水相成分として、グリセリン、エチレングリコール、１，３−ブチレングリコール、プロピレングリコール、…等の多価アルコール、…、カルボキシビニルポリマー、カルボキシメチルセルロース、…、ヒドロキシプロピルトリメチルアンモニウムクロライド、ポリ塩化ジメチルメチレンピペリジウム、ポリビニルピロリドン誘導体四級アンモニウム、…などの水溶性高分子…を配合することができる。」（【００２１】、５頁７欄３２〜４９行）
　
（Ａ−４)「本発明の浴用剤組成物は、水との組合せにより乳化の形態をとることができる。その他、本発明の浴用剤組成物は、粉末、顆粒、錠剤、液体のように如何なる剤型でもよい。」（【００２３】、５頁８欄１６〜１９行）
　
（Ａ−５）実施例１０にグリセリンを４．５重量％含む浴用剤組成物、実施例１５にプロピレングリコールを１．０重量％含む浴用剤組成物、及び実施例１６にブチレングリコールを５．０重量％含む浴用剤組成物が記載されている。（【００２４】【００３４】【００３９】【００４０】、７頁１１〜１２欄、８頁１３欄〜９頁１６欄）
　
　引用例Ｂ；
　
（Ｂ−１)「天然又は合成のソジウム・モンモリロナイトの水膨潤ゲル体と尿素との複合体を主成分とし、これに保湿剤…を含有せしめてなる組成物であって、常時湿潤形態を保持することを特徴とする入浴剤。」（【特許請求の範囲の請求項１】、２頁１欄２〜７行）
　
（Ｂ−２)「本発明入浴剤は、入浴前に躯体に塗布されて、しかるのち、温湯等に躯体を沈め、躯体表面から漸次溶解分散させる用法が可能であり躯体の周囲に最も濃厚に溶解白濁する状態が維持され、独特の溶剤効果を長時間達成しうる。この場合自らの動作によりパックから溶解する入浴剤を形成する…また、組成物が、ソジウム・モンモリロナイト水膨潤体と尿素との複合物であるから、…特に、湿潤剤…と共用して、快適なしっとり感を与えるとともに、…水膨潤ゲル体が浴湯中に超微粒子として分散し、特に含有される湿潤剤…の各成分を担持して皮膚の細部にまで有効に浸透する入浴剤を提供しうる。また、皮膚に直接塗布するクリームやローションとも近似し、出来るだけ長く皮膚上に止めて薬効を享受しうるが如き入浴剤をも提供しうるものである。」（【０００５】【０００６】、２頁２欄２９〜４９行）
　
（Ｂ−３)「保湿剤としては、１，３−ブチレングリコール，…，グリセリン，プロピレングリコール等の多価アルコール，ソルビトール等の糖類から１種又は２種以上が選ばれる。」（【０００８】、３頁３欄１０〜１４行）
　
（Ｂ−４）実施例として例２には、浴槽外で塗布しパック効果を収めたのち、シャワー又は塗布したまま浴槽内体躯を沈めて入浴剤の効果が得られる、１，３−ブチレングリコール　２．５重量部、及び濃グリセリン　２５．０重量部を含むボディパックの処方例が記載され、例３には、例２と同様、浴槽内に体躯を沈め効果が得られる、１，３−ブチレングリコール　２．０重量部、濃グリセリン　２０．０重量部、及びソルビトール液　６．５重量部を含むボディパックの処方例が記載されている。（【００１０】、３頁３欄〜４頁６欄）
　
３．対比
　引用例Ａには、「保湿剤であるＮ−長鎖アシルアミノ酸エステルを含有することを特徴とする浴用剤組成物」（摘示事項（Ａ−１）（Ａ−２））が、「水との組合せにより乳化の形態をとることができる。その他、本発明の浴用剤組成物は、粉末、顆粒、錠剤、液体のように如何なる剤型でもよい。」（摘示事項（Ａ−４））と記載されていて、「水相成分として、グリセリン、エチレングリコール、１，３−ブチレングリコール、プロピレングリコール等の多価アルコールと、カルボキシビニルポリマー、カルボキシメチルセルロース、ヒドロキシプロピルトリメチルアンモニウムクロライド、ポリ塩化ジメチルメチレンピペリジウム、ポリビニルピロリドン誘導体四級アンモニウムなどの水溶性高分子を配合することができ」（摘示事項（Ａ−３））ると記載されている。また、多価アルコールを１．０〜５．０重量％配合した浴用剤組成物の実施例（摘示事項（Ａ−５））も記載されている。
　そうすると、引用例Ａには、「保湿剤、多価アルコール、並びに水溶性高分子を含有する乳化型入浴剤組成物。」が記載されているものと認められる。（以下、「引用発明」という。）
　一方、本願の請求項１に記載された発明は、「（Ａ）冷感剤、温感剤、血行促進剤、抗炎症剤、痩身剤及び保湿剤から選ばれる１種又は２種以上の生理作用を発揮する成分（但し、痒みの軽減に有効な成分を除く）、（Ｂ）多価アルコール０．１〜３０重量％、並びに（Ｃ）水溶性高分子０．００１〜５０重量％を含有し、皮膚に直接塗布又は貼布して入浴するための液状又は半固体状で粘度が５００〜１０，０００cpsの乳化型組成物であって、かつ入浴中に生理作用を発揮する成分が浴湯中に分散又は溶解する入浴剤組成物。」（以下、「本願発明」という。）である。
　なお、本願明細書には保湿剤について、「本発明入浴剤においては、塗布局所において配合成分が生理作用を発揮するものであり、当該生理作用を発揮する成分としては、…保湿剤から選ばれる１種又は２種以上が挙げられる。」（【００１１】）と記載されているにとどまり、保湿剤の具体的成分については記載されていない。
　そして、引用発明の油溶性Ｎ−長鎖アシルアミノ酸エステルは痒みの軽減に有効な成分でないことは明らかであり、また、浴用剤組成物は入浴剤組成物のことである。
　
　そこで、本願発明と引用発明とを対比すると、両者は「保湿剤（但し、痒みの軽減に有効な成分を除く）、多価アルコール、並びに水溶性高分子を含有する乳化型組成物である入浴剤組成物」である点で一致し、相違点は以下のとおりである。
　
（相違点１）
　本願発明は、多価アルコールを０．１〜３０重量％含むのに対して、引用発明では、多価アルコールの配合量が記載されていない点
（相違点２）
　本願発明は、水溶性高分子を０．００１〜５０重量％含むのに対して、引用発明では、水溶性高分子の配合量が記載されていない点
（相違点３）
　本願発明は、皮膚に直接塗布又は貼布して入浴するための液状又は半固体状で粘度が５００〜１０，０００cpsであって、かつ入浴中に生理作用を発揮する成分が浴湯中に分散又は溶解するものであるのに対して、引用発明では、この点についての規定がない点。
　
４．当審の判断
　上記の相違点１乃至相違点３について検討する。
（相違点１について）
　引用例Ａには、多価アルコールを１．０〜５．０重量％含む浴用剤組成物の実施例（摘示事項（Ａ−５））が記載されている。そして、多価アルコールの配合量を所望の範囲とすることは当業者が適宜なし得ることである。
　そうすると、引用発明において、多価アルコールの配合量を０．１〜３０重量％とすることは、当業者が必要に応じてなし得ることである。
　
（相違点２について）
　浴用剤の配合成分として水溶性高分子は常用の配合成分であり、５０重量％以下の種々の配合量で使用されている。（特開平８−３４７２６号公報（水溶性高分子の配合量：０．１〜５０％、【００３８】【００４０】、５頁７欄３３〜５０行、同頁８欄１６〜１８行）、特開平６−１７２１５５号公報（水溶性高分子の配合量：２０〜４０重量％、【特許請求の範囲の請求項１〜４】【０００８】【００１９】【００２０】２頁１欄〜２６行、同頁２欄２９〜４６行、４頁５欄３０〜４１行）、及び特開昭６２−２６２１４号公報（水溶性高分子の配合量：０．５〜５０重量％、水溶性高分子を「水溶性ゲル化剤」と記載、【特許請求の範囲の請求項１〜３】１頁左下欄５〜１５行、２頁左下欄２〜１９行）参照）そして、水溶性高分子の配合量を所望の範囲とすることは、当業者が適宜なし得ることである。
　そうすると、引用発明において、水溶性高分子の配合量を０．００１〜５０重量％とすることは当業者が必要に応じてなし得ることである。
　
（相違点３について）
　引用例Ｂには、「天然又は合成のソジウム・モンモリロナイトの水膨潤ゲル体と尿素との複合体を主成分とし、これに保湿剤を含有せしめてなる組成物であって、常時湿潤形態を保持することを特徴とする入浴剤」（摘示事項（Ｂ−１）（Ｂ−３））が「入浴前に躯体に塗布されて、しかるのち、温湯等に躯体を沈め、躯体表面から漸次溶解分散させる用法が可能であり、皮膚に直接塗布するクリームやローションとも近似し」（摘示事項（Ｂ−２））と記載されていて、ボディパックで浴槽外で塗布した実施例（摘示事項（Ｂ−４））も記載されている。
　そうすると、引用例Ｂに接した当業者ならば、引用発明において、その使用方法として、皮膚に直接塗布又は貼付して入浴すること、及びその為に液状又は半固形状で皮膚から脱落しない程度の粘度のものとすることは、当業者が容易に想到し得ることである。
　そして、入浴剤を浴湯中に溶解分散させることは、入浴剤の剤型や使用の態様の如何にかかわらず、入浴剤の所期の効果を達成するための一般的な技術課題であり、皮膚に直接塗布又は貼布して入浴する場合であっても、入浴中に生理作用を発揮する成分が浴湯中に分散溶解するべく調製することは、当業者が当然に考慮して検討する事項である。
　してみれば、引用発明において、皮膚に直接塗布又は貼布して入浴するための液状又は半固体状で粘度が５００〜１０，０００cpsとすることは、当業者であれば容易になし得ることである。
　
　そして、本願発明の効果は当業者が予想できる程度のものである。
　
　５．むすび
　以上のとおり、本願発明は、引用例Ａ及びＢに記載された発明に基づいて、当業者が容易に発明をすることができたものであるから、特許法第２９条第２項の規定により特許を受けることができない。
　よって、結論のとおり審決する。